(57)【要約】【課題】  筐体内の回路基板をアンテナとして用い、携帯無線機を閉じて携帯モードにしたときに、良好なアンテナ特性が得られる携帯無線機を提供する。【解決手段】  携帯無線機１０は、上筐体１１に上回路基板２０が収容され、下筐体１５に下回路基板２１が収容され、上下の回路基板２０，２１が電気的に接続され、下筐体１５の上部１５ａ側にアンテナ部２２が収容され、下筐体１５に、アンテナ部２２に給電する給電部２３が収容され、上筐体１１および下筐体１５が互いに積層された携帯モードのとき、給電部２３がアンテナ部２２に接続されるとともに、上筐体１１および下筐体１５が互いに相互位置を変更することにより合算全長を長大させる通話モードのとき、給電部２３がアンテナ部２２および接続部材２５を介して上回路基板２０に接続される。【選択図】    図１
2006067361.tif 000002
【特許請求の範囲】
【請求項１】
互いに積層状態で接続され、かつ、互いに略階段状に相対位置を変更可能な上筐体および下筐体と、
前記上筐体および前記下筐体にそれぞれ収容され、かつ、電気的に接続された上回路基板および下回路基板と、
前記上筐体および前記下筐体のうち一方に収容されたアンテナ部と、
前記上筐体および前記下筐体のうち一方に収容されて前記アンテナ部に給電する給電部とを備え、
前記給電部が、前記上筐体および前記下筐体が互いに積層された携帯モードのときに前記アンテナ部に接続されるとともに、前記上筐体および前記下筐体が互いに相互位置を変更することにより合算全長を長大させる通話モードのときに前記上回路基板および前記下回路基板のうちの一方に接続されることを特徴とする携帯無線機。
【請求項２】
互いに積層状態で接続され、かつ、互いに略階段状に相対位置を変更可能な導電性を少なくとも一部に有する上筐体および下筐体と、
前記上筐体および前記下筐体のうち一方に収容されたアンテナ部と、
前記上筐体および前記下筐体のうち一方に収容されて前記アンテナ部に給電する給電部とを備え、
前記給電部が、前記上筐体および前記下筐体が互いに積層された携帯モードのときに前記アンテナ部に接続されるとともに、前記上筐体および前記下筐体が互いに相互位置を変更することにより合算全長を長大させる通話モードのときに前記上筐体および前記下筐体のうちの一方に接続されることを特徴とする携帯無線機。
【請求項３】
前記上筐体および前記下筐体が同一面に沿って互いに離れる方向に摺動移動可能であるとともに、前記アンテナ部が前記下筐体における上部側に配置され、かつ、前記通話モードのときに前記アンテナ部を介して前記上回路基板に接続されることを特徴とする請求項１または請求項２に記載した携帯無線機。
【請求項４】
前記上筐体および前記下筐体が同一面に沿って互いに離れる方向に摺動移動可能であるとともに、前記アンテナ部が前記上筐体における上部側に配置され、かつ、前記通話モードのときに前記給電部が前記アンテナ部から切断されるとともに前記上回路基板に接続されることを特徴とする請求項１または請求項２に記載した携帯無線機。
【請求項５】
前記上筐体および前記下筐体が互いの厚み方向に沿って設けられた回動軸を中心として相対的に回動可能であるとともに、前記アンテナ部が前記下筐体における回転軸側に配置され、かつ、前記通話モードのときに前記アンテナ部を介して前記上回路基板に接続されることを特徴とする請求項１または請求項２に記載した携帯無線機。
【請求項６】
前記上筐体および前記下筐体が互いの厚み方向に沿って設けられた回動軸を中心として相対的に回動可能であるとともに、前記アンテナ部が前記上筐体における回転軸側に配置され、かつ、前記通話モードのときに前記給電部が前記アンテナ部から切断されるとともに前記上回路基板に接続されることを特徴とする請求項１または請求項２に記載した携帯無線機。
【発明の詳細な説明】
【技術分野】
【０００１】
本発明は、携帯時や未使用時には、上下の筐体を折り畳み、スライドあるいは回転させてコンパクトにして携帯性を高めた携帯無線機に関する。
【背景技術】
【０００２】
近年、携帯電話機が広く普及しているが、この携帯電話機には、各種さまざまなタイプのものが開発されている。
多種のタイプの携帯電話の中でも、携帯時や未使用時には上下の筐体を折り畳むことができる折畳み式携帯電話、上下の筐体をスライドあるいは回転させて携帯性を高めたコンパクトなスライド式携帯電話、回転式携帯電話などが携帯性などを考慮した使い勝手の観点から注目されている。
【０００３】
折畳み式携帯電話、スライド式携帯電話や回転式携帯電話は、使用状態に応じて、その形態を変えることができる構造を持つため、それぞれの形態において、アンテナ特性を確保することが重要である。
【０００４】
また、折畳み式携帯電話、スライド式携帯電話や回転式携帯電話においても、さらなる小型化や多機能化が進んでおり、特に多機能化のひとつとして、デザイン性の向上のためアンテナの内蔵化が進んでいる（例えば、特許文献１，２）。
【特許文献１】特開２００２−３３５１８０号公報
【特許文献２】特開２００１−１５６８９８号公報
【０００５】
折畳み式携帯電話、スライド式携帯電話や回転式携帯電話において、通話モード（伸長時）および携帯モード（収納時）の両方の状態においてアンテナ性能を確保する方法として第１〜第３の方法が知られている。
第１の方法は、上筐体の上端外部にアンテナを露出させて取り付ける方法であり、この方法には以下の利点がある。
【０００６】
通常、携帯電話は、液晶表示素子（ＬＣＤ）を上筐体に備えているので、携帯電話を収納した際に、上筐体が下筐体の上側に位置する。よって、収納した携帯電話を金属物の上に置いた場合、上筐体は金属物から離れる。
このため、上筐体の上端部にアンテナを付けることで、アンテナを金属物から離すことができ、金属物の上に置いてもアンテナ特性を良好に確保できる。
【０００７】
一方、第１の方法には以下の欠点がある。
通話時にアンテナが顔に近づくので、電波の平均エネルギー量を表す比吸収率（ＳＡＲ）を基準値に抑えることが困難であり、顔から遠ざけるため、アンテナを突出させ斜めに配置する等で概観をそこない、近年のアンテナ内蔵化に反する。
また、通常、携帯電話は、下筐体に電池を収納するので、無線部も下筐体に納めている。このため、上筐体のアンテナへ同軸線路などで給電する必要があり、また、その配線や屈曲による断線が問題となり、コストを高める要因になる。
さらに、内蔵式の場合、携帯電話の伸長時に、アンテナの物理的なサイズが小さいため、アンテナ特性が劣る。
【０００８】
第２の方法は、下筐体の上端外部にアンテナを露出させて取り付ける方法であり、この方法には以下の利点がある。
通話時にアンテナを顔から離れた位置に配置できるので、ＳＡＲの確保に有利であり、伸長状態ではアンテナが上筐体を励振させる共振素子となり、携帯無線機全体が上基板と下基板を放射素子として動作し広帯域な特性を得る事ができる。
また、下筺体内にある無線基板からのばね接点でアンテナへの給電が可能なので、同軸線路などが不要になり、簡素化が図れる。
【０００９】
一方、第２の方法には以下の欠点がある。
放射素子としてアンテナに電流が集中するため、通話時に手や顔による影響が大きく、通話時特性の変動が大きくなってしまう。
また、携帯電話を金属物の上に置いた際に、アンテナが金属物に近くなり、アンテナ特性を良好に保つことが難しい。
【００１０】
第３の方法は、筐体内の基板（回路基板）をアンテナとして用いる方法であり、この方法には以下の利点がある。
筐体内の回路基板をアンテナとして用いることで、上下回路基板がダイポールアンテナとして動作し、アンテナの実効面積を大きく確保する事で、広帯域、高利得が可能になる。
一部のエレメントに電流が集中することがないので、手や顔による影響が少ない。
加えて、第３の方法は、筐体の外部にアンテナを露出させて取り付ける必要がないので、デザイン性に優れ好ましい
【発明の開示】
【発明が解決しようとする課題】
【００１１】
しかし、第３の方法には次のような欠点がある。すなわち、携帯電話を携帯モードにすると、上筐体に内蔵した上回路基板と、下筐体に内蔵した下回路基板とが重なり合い、上下回路基板がダイポールアンテナとして動作せず、上下回路基板に流れる電流が互いに打ち消しあう。このため、携帯モードのときにはアンテナ特性が大幅劣化する。
【００１２】
本発明は上記事情に鑑みてなされたもので、筐体内の回路基板をアンテナとして用い、携帯無線機を閉じて携帯モードにしたときに、良好なアンテナ特性が得られる携帯無線機を提供することを目的とする。
【課題を解決するための手段】
【００１３】
本発明の携帯無線機は、互いに積層状態で接続され、かつ、互いに略階段状に相対位置を変更可能な上筐体および下筐体と、前記上筐体および前記下筐体にそれぞれ収容され、かつ、電気的に接続された上回路基板および下回路基板と、前記上筐体および前記下筐体のうち一方に収容されたアンテナ部と、前記上筐体および前記下筐体のうち一方に収容されて前記アンテナ部に給電する給電部とを備え、前記給電部が、前記上筐体および前記下筐体が互いに積層された携帯モードのときに前記アンテナ部に接続されるとともに、前記上筐体および前記下筐体が互いに相互位置を変更することにより合算全長を長大させる通話モードのときに前記上回路基板および前記下回路基板のうちの一方に接続されることを特徴とする。
【００１４】
ここで、接続とは、物理的に接触するだけでなく、容量結合も含む。なお、容量結合については、図３で詳しく説明する。
上筐体および下筐体を、互いに積層状態で接続し、かつ、互いに略階段状に相対位置を変更可能に構成したスライド式の携帯無線機において、上筐体および下筐体のうち一方にアンテナ部を収容した。携帯モードのとき、このアンテナ部に給電部を接続して良好なアンテナ特性を得る。
【００１５】
一方、通話モードの際に、上回路基板および下回路基板のうちの一方に給電部を接続する。
アンテナとして使用する上下の回路基板を、広げた状態に配置することで、上下の回路基板の表面積を大きくし、良好なアンテナ特性を得る。
これにより、上筐体および下筐体のうち一方にアンテナ部を収容するだけの簡単な構成で、携帯モードおよび通話モードの両方のモードにおいて、良好なアンテナ特性を得ることができる。
スライド式の携帯無線機の簡素化を図ることが可能になり、コスト低減が期待できる。
【００１６】
また、本発明の携帯無線機は、互いに積層状態で接続され、かつ、互いに略階段状に相対位置を変更可能な導電性を少なくとも一部に有する上筐体および下筐体と、前記上筐体および前記下筐体のうち一方に収容されたアンテナ部と、前記上筐体および前記下筐体のうち一方に収容されて前記アンテナ部に給電する給電部とを備え、前記給電部が、前記上筐体および前記下筐体が互いに積層された携帯モードのときに前記アンテナ部に接続されるとともに、前記上筐体および前記下筐体が互いに相互位置を変更することにより合算全長を長大させる通話モードのときに前記上筐体および前記下筐体のうちの一方に接続されることを特徴とする。
【００１７】
ここで、筐体全体が導電性を有していると、アンテナ部２２が筐体でシールドされてアンテナ特性が落ちる。そこで、筐体を、導電性を少なくとも一部に有する部材とすることで、アンテナ部２２を電気的に露出するように、その他の部位を、一例として非導電性の樹脂とすることにした。
【００１８】
上筐体および下筐体を、互いに積層状態で接続し、かつ、互いに略階段状に相対位置を変更可能に構成したスライド式の携帯無線機において、上筐体および前記下筐体のうち一方にアンテナ部を収容した。携帯モードのとき、このアンテナ部に給電部を接続して良好なアンテナ特性を得る。
【００１９】
一方、上筐体および下筐体に導電性を持たせ、通話モードの際に、上筐体および下筐体のうちの一方に給電部を接続する。
アンテナとして使用する上下の筐体の合算全長を長大させることで、上下の筐体の表面積を大きくし、良好なアンテナ特性を得ることができる。
これにより、上筐体および下筐体に導電性を持たせ、かつ上筐体および下筐体のうち一方にアンテナ部を収容するだけの簡単な構成で、携帯モードおよび通話モードの両方のモードにおいて、良好なアンテナ特性を得ることができる。
スライド式の携帯無線機の簡素化を図ることが可能になり、コスト低減が期待できる。
【００２０】
また、本発明の携帯無線機は、前記上筐体および前記下筐体が同一面に沿って互いに離れる方向に摺動移動可能であるとともに、前記アンテナ部が前記下筐体における上部側に配置され、かつ、前記通話モードのときに前記アンテナ部を介して前記上回路基板に接続されることを特徴とする。
【００２１】
アンテナ部を下筺体の上部に配置することで、電池を配置する下基板内の無線部からの距離を近くする事ができ、回路基板上での線路によるロスをへらす事ができる。通話モードのときには、アンテナ部を介して給電部を上回路基板に接続するため、直流（Direct Current）的に接続させる必要はなく、高周波領域での容量結合により実現する事ができ、接続部を簡素化する事も可能である。
【００２２】
また、本発明の携帯無線機は、前記上筐体および前記下筐体が同一面に沿って互いに離れる方向に摺動移動可能であるとともに、前記アンテナ部が前記上筐体における上部側に配置され、かつ、前記通話モードのときに前記給電部が前記アンテナ部から切断されるとともに前記上回路基板に接続されることを特徴とする。
【００２３】
通話モードのときには、給電部を上回路基板に接続するので、上下回路基板がダイポールアンテナとして動作し、アンテナ特性を良好に高められる。
また、携帯モードのときには、給電部を上回路基板から切断するとともに、上筺体内のアンテナに接続する。これにより、携帯モードにおいても良好な特性を得る事ができ、携帯無線機をテーブルなどに置く場合、下筐体が下側で上筐体が上側になる。よって、例えば、携帯モードの携帯無線機を金属物の上に置いた場合、上筐体が上側になる。アンテナ部を上筐体に配置することで、アンテナ部を金属物から離すことが可能になる。
このため、携帯モードの携帯無線機を金属物の上に置いたときでも、良好なアンテナ特性を得ることができる。
【００２４】
また、本発明の携帯無線機は、前記上筐体および前記下筐体が互いの厚み方向に沿って設けられた回動軸を中心として相対的に回動可能であるとともに、前記アンテナ部が前記下筐体における回転軸側に配置され、かつ、前記通話モードのときに前記アンテナ部を介して前記上回路基板に接続されることを特徴とする。
【００２５】
上筐体および下筐体を、回動軸を中心として回動可能とすることで、通話モード、携帯モード共に、スライド式の効果と同様に良好な特性を得ることができる。
【００２６】
また、本発明の携帯無線機は、前記上筐体および前記下筐体が互いの厚み方向に沿って設けられた回動軸を中心として相対的に回動可能であるとともに、前記アンテナ部が前記上筐体における回転軸側に配置され、かつ、前記通話モードのときに前記給電部が前記アンテナ部から切断されるとともに前記上回路基板に接続されることを特徴とする。
【００２７】
上筐体および下筐体を、回動軸を中心として回動可能とすることで、上述したように、通話モード、携帯モード共に、スライド式の効果と同様に良好な特性を得ることができる。
【発明の効果】
【００２８】
本発明によれば、上筐体および下筐体のうち一方にアンテナ部を収容するだけの簡単な構成で、携帯モードおよび通話モードの両方のモードにおいて、良好なアンテナ特性を得ることができるという効果を有する。
【発明を実施するための最良の形態】
【００２９】
図１〜図２に示すように、第１実施の形態の携帯無線機１０は、上筐体１１の外側カバー１２に液晶表示素子（ＬＣＤ）１３を備え、下筐体１５の内側カバー１６に操作キー部１７を備え、上筐体１１および下筐体１５が、互いに積層状態で接続され、かつ、互いに略階段状に相対位置を変更可能に構成し、携帯モード状態（図２参照）から上筐体１１および下筐体１５を同一面に沿って互いに離れる方向に摺動移動（スライド移動）することで、上筐体１１および下筐体１５を離した通話モード状態（図１参照）に切換可能に構成したスライド式の携帯無線機である。
【００３０】
この携帯無線機１０は、上筐体１１に上回路基板２０が収容され、下筐体１５に下回路基板２１が収容され、上回路基板２０および下回路基板２１がフレキシブル配線（図示せず）を介して電気的に接続され、下筐体１５における上部１５ａ側にアンテナ部２２が収容され、下筐体１５に、アンテナ部２２に給電する給電部２３が収容され、上筐体１１および下筐体１５が互いに積層された携帯モード（図２参照）のとき、給電部２３がアンテナ部２２に接続されるとともに、上筐体１１および下筐体１５が互いに相互位置を変更することにより合算全長を長大させる通話モード（図１参照）のとき、給電部２３がアンテナ部２２および接続部材２５を介して上回路基板２０に接続されるように構成されている。
【００３１】
接続部材２５は、下筐体１５の上部１５ａ側に設けられて給電部２３にアンテナ部２２を介して電気的に接続されている。
この接続部材２５は、下筐体１５の上部１５ａ側の内側ケース１６から先端部を突出させ、突出させた先端部を上筐体１１内に延ばし、通話モードのときに上回路基板２０に電気的に接続し、携帯モードのときに上回路基板２０との電気的な接続を解除する部材である。
【００３２】
アンテナ部２２を下筐体１５の上部１５ａ側に配置することで、上筐体１５に備える液晶表示素子１３を大きく確保することができる。
また、図１に示す通話モードのときには、アンテナ部２２を介して給電部２３を上回路基板２０に接続するため、直流（Direct Current）的に接続させる必要はなく、高周波領域での容量結合により実現する事ができる。
【００３３】
次に、携帯無線機１０の作用を、図１〜図２に基づいて説明する。
図２に示す携帯モード状態から、上筐体１１および下筐体１５を同一面に沿って互いに離れる方向に摺動移動（スライド移動）して上筐体１１および下筐体１５を離し、図１に示す通話モード状態に切り換える。
【００３４】
通話モード状態に切り換えることで、上下の回路基板２０，２１を、広げた状態に配置することで、上下の回路基板２０，２１の表面積を大きく確保するとともに、給電部２３がアンテナ部２２および接続部材２５を介して上回路基板２０に接続される。
上回路基板２０および下回路基板２１が電気的に接続されているので、表面積を大きく確保した上下の回路基板２０，２１をアンテナとして使用することができる。
表面積を大きく確保した上下の回路基板２０，２１をアンテナとして使用することで、良好なアンテナ特性を得る。
【００３５】
ここで、上下の回路基板２０，２１をアンテナとして使用する原理について説明する。すなわち、上下の回路基板２０，２１その物をエレメントとして、λ／２系のダイポールアンテナとする。
【００３６】
一方、図１に示す通話モード状態から、上筐体１１および下筐体１５を同一面に沿って互いに対向する方向に摺動移動（スライド移動）して上筐体１１および下筐体１５を重ね合わせ、図２に示す携帯モード状態に切り換える。
この状態において、アンテナ部２２には給電部２３が接続されているので、良好なアンテナ特性を得る。
【００３７】
これにより、下筐体１５の上部１５ａ側にアンテナ部２２を収容するだけの簡単な構成で、携帯モードおよび通話モードの両方のモードにおいて、良好なアンテナ特性を得ることができる。
スライド式の携帯無線機１０の簡素化を図ることが可能になり、コスト低減が期待できる。
【００３８】
なお、前記第１実施の形態では、アンテナ部２２、給電部２３を下筐体１５に設け、通話モードのとき上回路基板２０に電気的に接続する例について説明したが、これに限らないで、アンテナ部２２、給電部２３を上筐体１１に設け、通話モードのとき下回路基板２１に電気的に接続させても同様の効果が得られる。
【００３９】
次に、第１実施の形態の携帯無線機１０の変形例を図３（Ａ），（Ｂ）に基づいて説明する。変形例の携帯無線機２８は、第１実施の形態の携帯無線機１０から接続部材２５を除去したものであり、その他の構成は携帯無線機１０と同様である。
変形例の携帯無線機２８によれば、アンテナ部２２は、下筐体１５の上部１５ａに存在するため、図３（Ａ）に示す通話モード（開き）時は構造的に上筐体１１の下部１１ｂに近接する位置に存在する。そして、上回路基板２０とアンテナ部２２は、互いに対向近接し、給電時に容量結合され得る。
【００４０】
すなわち、上回路基板２０とアンテナ部２２の各々の平面部が近接して対向する。平坦部の対向は、容量を持ちコンデンサとして置き換えることができ、高周波領域では低インピーダンスとなり、導通状態と考える事ができる。
これにより、上筐体１１全体が上側のアンテナ素子として動作し、接続部材２５を備えた携帯無線機１０のアンテナ構成と同等の特性を得る事ができる。
【００４１】
一方、図３（Ｂ）に示されているように、携帯モード（閉じ）時には上回路基板２０がアンテナ部２２から引き離されるため、高周波領域での容量結合は消失する。すなわち、閉じ状態においては、上回路基板２０とアンテナ部２２とは開き状態よりも距離的に離れ、通電時においても電気的に結合されない。また、上回路基板２０とアンテナ部２２とは距離的に離れることで、電流の打ち消し合いが起こることはなく、良好なアンテナ特性が確保される。
【００４２】
次に、第２〜第５の実施の形態について説明する。なお、第２〜第５の実施の形態の携帯無線機において、第１実施の形態の携帯無線機１０と同一類似部材については同一符号を付して説明を省略する。
【００４３】
第２実施の形態
図４〜図５に示すように、第２実施の形態の携帯無線機３０は、上筐体１１および下筐体１５が同一面に沿って互いに離れる方向に摺動移動可能であるとともに、アンテナ部３１が上筐体１１における上部１１ａ側に配置され、かつ、通話モード（図４参照）のときに給電部２３がアンテナ部３１から切断されるとともに上回路基板２０に接続部材３２を介して接続されるように構成されている。
【００４４】
接続部材３２は、下筐体１５の上部１５ａ側に設けられて給電部２３に電気的に接続されている。この接続部材３２は、下筐体１５の上部１５ａ側の内側ケース１６から先端部を突出させ、突出させた先端部を上筐体１１内に延ばし、通話モードのときに上回路基板２０に電気的に接続し、携帯モードのときにアンテナ部３１に電気的に接続する部材である。
【００４５】
通常、携帯モードや通話モードにおいて、携帯無線機１０をテーブルや机などに置く場合、下筐体１５が下側で上筐体１１が上側になるように置く。
よって、図６（Ａ），（Ｂ）に示すように、例えば、携帯モードの携帯無線機１０を金属物３５の上に置いた場合、下筐体１５が金属物３５に直接触れて上筐体１１は金属物３５から離れて配置させる。
【００４６】
アンテナ部３１を上筐体１１に配置することで、アンテナ部３１を金属物３５からＨだけ離すことが可能になる。
このため、携帯モードの携帯無線機１０を金属物３５の上に置いた場合でも、良好なアンテナ特性を得ることができる。
【００４７】
また、通話モードのときには、給電部２３を、アンテナ部３１から切断するとともに上回路基板２０に接続するので、上回路基板グランドと下回路基板グランドを直流（DC）接続する事になるため、上下基板の直流的グランドを強化することになり、使用人体から受ける静電気による、画面フリーズや、電源断といった不具合に強くなり、製品の品質向上につながるという利点がある。
【００４８】
次に、携帯無線機３０の作用を、図４〜図５に基づいて説明する。
図５に示す携帯モード状態から、上筐体１１および下筐体１５を同一面に沿って互いに離れる方向に摺動移動（スライド移動）して上筐体１１および下筐体１５を離し、図４に示す通話モード状態に切り換える。
【００４９】
通話モード状態に切り換えることで、上下の回路基板２０，２１を、広げた状態に配置することで、上下の回路基板２０，２１の表面積を大きく確保するとともに、給電部２３が接続部材３２を介して上回路基板２０に接続される。
上回路基板２０および下回路基板２１が電気的に接続されているので、表面積を大きく確保した上下の回路基板２０，２１をアンテナとして使用することができる。
表面積を大きく確保した上下の回路基板２０，２１をアンテナとして使用することで、良好なアンテナ特性を得る。
【００５０】
一方、図４に示す通話モード状態から、上筐体１１および下筐体１５を同一面に沿って互いに対向する方向に摺動移動（スライド移動）して上筐体１１および下筐体１５を重ね合わせ、図５に示す携帯モード状態に切り換える。
この際に、アンテナ部３１に接続部材３２を介して給電部２３を接続することで、良好なアンテナ特性を得る。
【００５１】
これにより、上筐体１１の上部１１ａ側にアンテナ部３１を収容するだけの簡単な構成で、携帯モードおよび通話モードの両方のモードにおいて、良好なアンテナ特性を得ることができる。
スライド式の携帯無線機１０の簡素化を図ることが可能になり、コスト低減が期待できる。
【００５２】
なお、前記第２実施の形態では、アンテナ部２２を上筐体３１に設け、かつ給電部２３を下筐体１５に設け、通話モードのとき上回路基板２０に電気的に接続する例について説明したが、これに限らないで、アンテナ部２２を下筐体１５に設け、かつ給電部２３を上筐体１１に設け、通話モードのとき下回路基板２１に電気的に接続させても同様の効果が得られる。
【００５３】
第３実施の形態
図７〜図８に示すように、第３実施の形態の携帯無線機４０は、上筐体４１および下筐体４５が互いの厚み方向に沿って設けられた回動軸４２を中心として相対的に回動可能であるとともに、アンテナ部２２が下筐体４５における回転軸側（回転軸４２の側の部位）４５ａに配置され、かつ、図７に示す通話モードのときにアンテナ部２２を介して上回路基板２０に接続されるように構成されている。
【００５４】
この携帯無線機４０の作用を説明する。
図８に示す携帯モード状態から、例えば上筐体４１を、回動軸４２を中心として矢印の方向に回動して上筐体４１を下筐体４５から離し、図７に示す通話モード状態に切り換える。
【００５５】
通話モード状態に切り換えて、上下の回路基板２０，２１を、広げた状態に配置することで、上下の回路基板２０，２１の表面積を大きく確保するとともに、給電部２３がアンテナ部２２および接続部材２５を介して上回路基板２０に接続される。
【００５６】
上回路基板２０および下回路基板２１が電気的に接続されているので、表面積を大きく確保した上下の回路基板２０，２１をアンテナとして使用することができる。
表面積を大きく確保した上下の回路基板２０，２１をアンテナとして使用することで、良好なアンテナ特性を得る。
【００５７】
一方、図７に示す通話モード状態から、例えば上筐体４１を、回動軸４２を中心として回動して上筐体４１および下筐体４５を重ね合わせ、図８に示す携帯モード状態に切り換える。
この状態において、アンテナ部２２には給電部２３が接続されているので、良好なアンテナ特性を得る。
【００５８】
以上説明したように、第３実施の形態の携帯無線機４０によれば、上筐体４１および下筐体４５を、回動軸４２を中心として回動可能とすることで、通話モード（図７参照）、携帯モード（図８参照）共に、第１実施の形態スライド式の携帯無線機１０で説明した効果と同様に良好な特性を得ることができる。
【００５９】
また、スライド式の携帯無線機では、電気的接続状態を継続させるために、上筐体の長辺方向にレールが必要になるが、回転式では、その回転方向となるため小さく構成することができる。
【００６０】
さらに、スライド式の携帯無線機では、電気的接続状態を長期間確実に得るために、端子をレールに強く当てる必要があり、上筐体および下筐体のスライド時の摺接抵抗が高くなるが、回転式の携帯無線機４０によれば、その心配はない。
【００６１】
加えて、回転式の携帯無線機４０によれば、携帯モード状態から通話モード状態に切り換える際に、上筐体４１および下筐体４５の相対的回転直後から、上下の筐体４１，４５の積層状態が解除されているので、回転直後に筐体ダイポールに切り換える事ができる。
これに対して、スライド式の携帯無線機では、最後まで上筐体および下筐体の一部が積層状態なのでスライド終了時に切り換える必要がある。
【００６２】
第４実施の形態
図９〜図１０に示すように、第４実施の形態の携帯無線機５０は、上筐体４１および下筐体４５が互いの厚み方向に沿って設けられた回動軸４２を中心として相対的に回動可能であるとともに、アンテナ部５１が上筐体４１における回転軸側（回転軸４２の側の部位）４１ａに配置され、かつ、通話モードのときに給電部２３がアンテナ部５１から切断されるとともに上回路基板２０に接続されるように構成されている。
【００６３】
接続部材５２は、下筐体４５の回転軸側４５ａに設けられて給電部２３に電気的に接続されている。この接続部材５２は、下筐体４５の回転軸側４５ａの内側ケース４６から先端部を突出させ、突出させた先端部を上筐体４１内に延ばし、通話モードのときに上回路基板２０に電気的に接続し、携帯モードのときにアンテナ部５１に電気的に接続する部材である。
【００６４】
以上説明したように、第４実施の形態の携帯無線機５０によれば、上筐体４１および下筐体４５を、回動軸４２を中心として回動可能とすることで、通話モード（図９参照）、携帯モード（図１０参照）共に、第３実施の形態スライド式の携帯無線機４０で説明した効果と同様に良好な特性を得ることができる。
【００６５】
第５実施の形態
第５実施の形態の携帯無線機は、第１実施の形態の携帯無線機１０でアンテナとして利用した上下の回路基板２０，２１を上下の筐体１１，１５に代えたものである。
すなわち、上下の筐体１１，１５を、導電性を少なくとも一部に有する部材とするとともに、電気的に接続し、通話モードのときには、上下の筐体１１，１５が互いに相互位置を変更することにより合算全長を長大させ、給電部２３が上筐体１１および下筐体１５のうちの一方に接続され、上筐体１１および下筐体１５がダイポールアンテナとして利用される。
一方、携帯モードのときには、第１実施の形態の携帯無線機１０と同様に給電部２３がアンテナ部２２に接続される。
【００６６】
ここで、導電性を少なくとも一部に有する部材とした理由は以下の通りである。
すなわち、筐体全体が導電性を有していると、アンテナ部２２が筐体でシールドされてアンテナ特性が落ちる。そこで、筐体を、導電性を少なくとも一部に有する部材とすることで、アンテナ部２２を電気的に露出するように、その他の部位を樹脂にする。
【００６７】
第５実施の形態の携帯無線機によれば、第１実施の形態の携帯無線機１０と同様に、下筐体１５の上部１５ａ側にアンテナ部２２を収容するだけの簡単な構成で、携帯モードおよび通話モードの両方のモードにおいて、良好なアンテナ特性を得ることができる。
スライド式の携帯無線機１０の簡素化を図ることが可能になり、コスト低減が期待できる。
【００６８】
また、上筐体１１および下筐体１５をダイポールアンテナとすることで、上下筐体間の直流的接続ラインが増え、使用者からの静電気が上筐体１１だけでなく下筐体も１５にも導通する。この時、下基板グランドに対して、高いインダクタンスを持つコイルを挿入する事で、高周波的には高インピーダンスとなり、アンテナ特性に影響を与えない。従って、下筐体１５に０（ゼロ）電位箇所を設けておけば、静電気に弱いとされている上筐体１１の液晶表示素子１３が保護される。
【産業上の利用可能性】
【００６９】
本発明は、携帯時や未使用時には、上下の筐体を折り畳み、スライドあるいは回転させてコンパクトにして携帯性を高めた携帯無線機への適用に好適である。
【図面の簡単な説明】
【００７０】
【図１】本発明に係る第１実施の形態の携帯無線機を通話モードに切り換えた状態を示す概略断面図である。
【図２】本発明に係る第１実施の形態の携帯無線機を携帯モードに切り換えた状態を示す概略断面図である。
【図３】（Ａ）は第１実施の形態に係る変形例の携帯無線機を通話モードに切り換えた状態を示す概略断面図、（Ｂ）は第１実施の形態に係る変形例の携帯無線機を携帯モードに切り換えた状態を示す概略断面図である。
【図４】本発明に係る第２実施の形態の携帯無線機を通話モードに切り換えた状態を示す概略断面図である。
【図５】本発明に係る第２実施の形態の携帯無線機を携帯モードに切り換えた状態を示す概略断面図である。
【図６】本発明に係る第２実施の形態の携帯無線機を金属物に置いた状態を説明する図である。
【図７】本発明に係る第３実施の形態の携帯無線機を通話モードに切り換えた状態を示す概略断面図である。
【図８】本発明に係る第３実施の形態の携帯無線機を携帯モードに切り換えた状態を示す概略断面図である。
【図９】本発明に係る第４実施の形態の携帯無線機を通話モードに切り換えた状態を示す概略断面図である。
【図１０】本発明に係る第４実施の形態の携帯無線機を携帯モードに切り換えた状態を示す概略断面図である。
【符号の説明】
【００７１】
１０，２８，３０，４０，５０  携帯無線機
１１，４１  上筐体
１１ａ  上筐体における上部
１５，４５  下筐体
１５ａ  下筐体における上部
２０  上回路基板
２１  下回路基板
２２，３１  アンテナ部
２３  給電部
４２  回転軸
【図１】
2006067361.tif 000003
【図２】
2006067361.tif 000004
【図３】
2006067361.tif 000005
【図４】
2006067361.tif 000006
【図５】
2006067361.tif 000007
【図６】
2006067361.tif 000008
【図７】
2006067361.tif 000009
【図８】
2006067361.tif 000010
【図９】
2006067361.tif 000011
【図１０】
2006067361.tif 000012